(57)【特許請求の範囲】
【請求項１】
コンクリート製の区画体の外面を構成する一対の型枠のうちの一方側の型枠の内面に対する取付け部を一端側の端縁部に備えた筒状の第１埋込部材と、該第１埋込部材の他端側から第１埋込部材に対する所定の挿入長さ範囲で一端側から外挿可能又は内挿可能に構成され且つ一対の型枠のうちの他方側の型枠の内面に対する当付け部を他端側の端縁部に備えた筒状の第２埋込部材と、配管用又は配線用のダクト部材の先端部が内挿又は外挿可能な受け口部を備えた受け部材とが備えられ、
前記両埋込部材の少なくとも一方の内面側には、前記受け部材の受け口部の先端部が区画体の外面よりも外方に配置される状態で前記受け部材を筒軸心方向に当て付けて取付け可能な受け部材用の取付け部が備えられている貫通スリーブ。
【請求項２】
前記挿入長さ範囲の複数の挿入長さ位置の各々で又は挿入長さ範囲の任意の挿入長さ位置で前記両埋込部材を固定可能な固定手段が備えられている請求項１記載の貫通スリーブ。
【請求項３】
前記固定手段が、前記両埋込部材の一方に形成された筒軸心方向に沿うスリット状又は長孔状の固定部材用挿通部と、該固定部材用挿通部に対する挿通状態で固定部材用挿通部の周縁部を両埋込部材の他方側に押圧して両埋込部材を固定可能な固定部材とから構成されている請求項２記載の貫通スリーブ。
【請求項４】
コンクリート製の区画体の外面を構成する一対の型枠のうちの一方側の型枠の内面に対する取付け部を一端側の端縁部に備えた筒状の第１埋込部材と、該第１埋込部材の他端側から第１埋込部材に対する所定の挿入長さ範囲で一端側から外挿可能又は内挿可能に構成され且つ一対の型枠のうちの他方側の型枠の内面に対する当付け部を他端側の端縁部に備えた筒状の第２埋込部材と、配管用又は配線用のダクト部材の先端部が内挿又は外挿可能な受け口部を備えた受け部材とが備えられ、
前記両埋込部材の少なくとも一方の内面側には、前記受け部材の受け口部の先端部が区画体の外面よりも外方に配置される状態で前記受け部材を取付け可能な受け部材用の取付け部が備えられており、
前記受け部材用の取付け部が、前記両埋込部材の少なくとも一方の内面から突出形成された取付け片部から構成されているとともに、前記受け部材には、前記取付け片部に対する被取付け片部が受け口部の外周面よりも外方に位置する状態で備えられ、
前記受け部材を前記取付け部に取付けた状態において前記取付け片部と前記被取付け片部の一方又は両方を底部とするシール材充填用の溝部が受け口部の外側に形成されるように構成されている貫通スリーブ。
【請求項５】
請求項１〜４のいずれか１項に記載の貫通スリーブを用いた貫通部付き区画体の施工方法であって、
前記第１埋込部材の取付け部を前記一方側の型枠の内面に取り付け、且つ、第２埋込部材の当て付け部を前記他方側の型枠の内面に当て付けて、区画体の厚み寸法に対応した挿入長さ位置となる相対配置で前記両埋込部材を型枠に配設した状態で、両型枠の内面と両埋込部材の外周面とで形成される空間内にコンクリートを打設し、
打設されたコンクリートの硬化を待って型枠を取り外した後に前記受け部材を前記受け部材用の取付け部に取り付ける貫通部付き区画体の施工方法。
【請求項６】
前記コンクリートを打設するのに先立ち、前記第１埋込部材と前記第２埋込部材の一方又は両方の外周面にテープ材を巻着して止水用の凸部を形成する請求項５記載の貫通部付き区画体の施工方法。
【請求項７】
前記コンクリートを打設するのに先立ち、前記挿入長さ範囲の複数の挿入長さ位置の各々で又は挿入長さ範囲の任意の挿入長さ位置で前記両埋込部材を固定可能な固定手段で区画体の厚み寸法に対応する設定挿入長さ位置で前記両埋込部材を固定するとともに、
前記両埋込部材の外周面のうち、前記固定手段による固定領域よりも区画体の外面のうちの屋外側となる外面の側に位置する部位に前記テープ材を巻着する請求項６記載の貫通部付き区画体の施工方法。
【発明の詳細な説明】
【技術分野】
【０００１】
本発明は、配線や配管等を挿通するための貫通部を備えたコンクリート製の区画体（例えば、壁やスラブ）を形成するのに用いられる貫通スリーブ及びそれを用いた貫通部付き区画体の施工方法に関する。
【背景技術】
【０００２】
従来の貫通スリーブは、図８に示すように、区画体Ｗの設計厚み寸法よりも大なる長さ寸法（筒軸心方向の長さ寸法）を有するように一体的に構成された異径筒状の単一の埋込部材３１から構成されている。当該埋込部材３１のうち、径寸法の小さい側の小径筒部３２の先端側は、区画体Ｗの外面から突出配置されて、区画体Ｗを形成した後に配線用又は配管用のダクト部材（図示しない）の先端部が外挿される筒状の受け口部３２ａに構成されている。
【０００３】
つまり、この貫通スリーブは、ダクト部材の先端部が受け口部３２ａに外挿される接続形態を採ることで、ダクト部材と区画体Ｗとの接続箇所を二重筒構造にし、これにより、ダクト部材の内部への液体（主として雨水）の侵入を抑止することのできるように構成されている。
【発明の概要】
【発明が解決しようとする課題】
【０００４】
ところが、上記従来の貫通スリーブでは、区画体Ｗの設計厚み寸法よりも大なる長さ寸法を有するように一体的に構成された異径筒状の単一の埋込部材から構成されているため、以下（１）、（２）の問題点がある。
（１）施工時において、区画体Ｗの外面を構成するための一対の型枠の少なくとも一方側に小径筒部３２の先端側を突出させるための開口部を形成しなければならず、施工に手間と時間が掛かる。また、型枠の材料の再利用も難しくなる。
（２）区画体Ｗの厚み寸法の変化に対応できない。つまり、区画体Ｗの設計厚み寸法が大きい場合には、受け口部３２ａの突出寸法がある程度は必要なため、施工時において大径筒部側を現場で継ぎ足されなければならず、施工に手間と時間がかかる。
また、区画体Ｗの設計厚み寸法が小さい場合には、施工時において他方の型枠にも開口部を形成して大径筒部の先端側を突出させるか、或いは、受け筒部３２ａの突出寸法を大きくするかの対応を採らなければならない。よって、施工に手間と時間がかかるか、ダクト部材の接続部の態様が制限されることになる。
【０００５】
本発明は、上述の実状に鑑みて為されたものであって、その主たる課題は、ダクト部材と区画体との接続箇所での止水性は維持しながらも、施工の手間や時間が少なくて済み、且つ、区画体の厚み寸法の変化にも対応し得る貫通スリーブ及びそれを用いた貫通部付き区画体の施工方法を提供する点にある。
【課題を解決するための手段】
【０００６】
本発明の第１特徴構成は、貫通スリーブに係り、その特徴は、
コンクリート製の区画体の外面を構成する一対の型枠のうちの一方側の型枠の内面に対する取付け部を一端側の端縁部に備えた筒状の第１埋込部材と、該第１埋込部材の他端側から第１埋込部材に対する所定の挿入長さ範囲で一端側から外挿可能又は内挿可能に構成され且つ一対の型枠のうちの他方側の型枠の内面に対する当付け部を他端側の端縁部に備えた筒状の第２埋込部材と、配管用又は配線用のダクト部材の先端部が内挿又は外挿可能な受け口部を備えた受け部材とが備えられ、
前記両埋込部材の少なくとも一方の内面側には、前記受け部材の受け口部の先端部が区画体の外面よりも外方に配置される状態で前記受け部材を筒軸心方向に当て付けて取付け可能な受け部材用の取付け部が備えられている点にある。
【０００７】
上記構成によれば、第１埋込部材の他端側から第１埋込部材に対する所定の挿入長さ範囲で第２埋込部材を外挿又は内挿するとともに、第１埋込部材の一端側の取付け部を一方側の型枠の内面に取付け、且つ、前記第２埋込部材の他端側の当付け部を他方側の型枠の内面に当付けることで、一対の型枠の内面と両埋込部材の外周面とで形成されるコンクリート用の空間を構成することができる。
【０００８】
そして、ダクト部材用の前記受け口部の先端部が区画体の外面よりも外方に配置される状態で前記受け部材を取付け可能な取付け部が両埋込部材の少なくとも一方の内面側に備えられているから、前記空間に打設したコンクリートの硬化を待って型枠を取り外してから、受け口部の先端部が区画体の外面よりも外方に配置される状態で受け部材を取付け部に取付けることができる。
【０００９】
そのため、ダクト部材と区画体との接続箇所の止水性を得るための受け口部の存在は維持しながらも、区画体を構成するための型枠に開口部を不要にすることができるから、型枠に開口部を形成する手間と時間を不存とすることができる。
【００１０】
しかも、所定の挿入長さ範囲内で第１埋込部材と第２埋込部材との挿入長さを区画体の設計厚み寸法に対応して変更することで、第１埋込部材と第２埋込部材との接続体の全体の長さ（筒軸心方向の長さ）を区画体の設計厚み寸法に合わせることができる。
【００１１】
したがって、ダクト部材と区画体との接続箇所での止水性は維持しながらも、施工の手間や時間を少なくすることができるとともに、区画体の厚み寸法の変化にも対応することができる。
【００１２】
本発明の第２特徴構成は、前記挿入長さ範囲の複数の挿入長さ位置の各々で又は挿入長さ範囲の任意の挿入長さ位置で前記両埋込部材を固定可能な固定手段が備えられている点にある。
【００１３】
上記構成によれば、所定の挿入長さ範囲内で第１埋込部材と第２埋込部材との挿入長さを区画体の設計厚み寸法に対応して変更し、その挿入長さ位置において前記固定手段で前記両埋込部材を固定することができる。
【００１４】
したがって、両型枠や両埋込部材の組み付け中やコンクリートの打設時などの施工途中で第１埋込部材と第２埋込部材との挿入長さが不測に変化する不都合を防止することができる。
【００１５】
本発明の第３特徴構成は、前記固定手段が、前記両埋込部材の一方に形成された筒軸心方向に沿うスリット状又は長孔状の固定部材用挿通部と、該固定部材用挿通部に対する挿通状態で固定部材用挿通部の周縁部を両埋込部材の他方側に押圧して両埋込部材を固定可能な固定部材とから構成されている点にある。
【００１６】
上記構成によれば、前記両埋込部材の一方に形成された筒軸心方向に沿うスリット状又は長孔状の固定部材用挿通部の両側縁部と固定部材との接当で筒軸心方向に直交する方向に対する両埋込部材の相対移動を規制しながら、固定部材用挿通部の筒軸心方向の長さ範囲において両埋込部材の接続体の全体長さを無段階的に微妙に調整することができる。
【００１７】
本発明の第４特徴構成は、コンクリート製の区画体の外面を構成する一対の型枠のうちの一方側の型枠の内面に対する取付け部を一端側の端縁部に備えた筒状の第１埋込部材と、該第１埋込部材の他端側から第１埋込部材に対する所定の挿入長さ範囲で一端側から外挿可能又は内挿可能に構成され且つ一対の型枠のうちの他方側の型枠の内面に対する当付け部を他端側の端縁部に備えた筒状の第２埋込部材と、配管用又は配線用のダクト部材の先端部が内挿又は外挿可能な受け口部を備えた受け部材とが備えられ、
前記両埋込部材の少なくとも一方の内面側には、前記受け部材の受け口部の先端部が区画体の外面よりも外方に配置される状態で前記受け部材を取付け可能な受け部材用の取付け部が備えられており、
前記受け部材用の取付け部が、前記両埋込部材の少なくとも一方の内面から突出形成された取付け片部から構成されているとともに、前記受け部材には、前記取付け片部に対する被取付け片部が受け口部の外周面よりも外方に位置する状態で備えられ、
前記受け部材を前記取付け部に取付けた状態において前記取付け片部と前記被取付け片部の一方又は両方を底部とするシール材充填用の溝部が受け口部の外側に形成されるように構成されている点にある。
【００１８】
上記構成によれば、本発明の第１特徴構成と同様に、ダクト部材と区画体との接続箇所での止水性は維持しながらも施工の手間や時間を少なくすることができるとともに、区画体の厚み寸法の変化にも対応することができることに加えて、前記取付け部が、前記両埋込部材の少なくとも一方の内面から突出形成された取付け片部から構成されているとともに、前記受け部材には、前記取付け片部に対する被取付け片部が受け口部の外周面よりも外方に位置する状態で備えられているから、型枠を取り外した状態では、前記取付け片部又は前記被取付け片部或いはそれらの両方が区画体の外面側に望むことになる。よって、取付け片部と被取付け片部との取付け操作を容易に行うことができる。
【００１９】
さらに、前記受け部材を前記取付け部に取付けた状態において前記取付け片部と前記被取付け片部の一方又は両方を底部とするシール材充填用の溝部が受け口部の外側に形成されるから、その取付け片部や被取付け片部を利用する形態で受け部材と両埋込部材との接続箇所からの液体の侵入を抑止するためのシール材充填用の溝部を形成することができ、別途、シール材充填用の溝部を形成する部材を設ける場合に比べ、構造の簡素化を図ることができる。
【００２０】
本発明の第５特徴構成は、第１〜第４特徴構成のいずれかに記載の貫通スリーブを用いた貫通部付き区画体の施工方法であって、
前記第１埋込部材の取付け部を前記一方側の型枠の内面に取り付け、且つ、第２埋込部材の当て付け部を前記他方側の型枠の内面に当て付けて、区画体の厚み寸法に対応した挿入長さ位置となる相対配置で前記両埋込部材を型枠に配設した状態で、両型枠の内面と両埋込部材の外周面とで形成される空間内にコンクリートを打設し、
打設されたコンクリートの硬化を待って型枠を取り外した後に前記受け部材を前記受け部材用の取付け部に取り付ける点にある。
【００２１】
上記構成によれば、区画体を構成するための型枠に開口部を形成することなく、しかも、区画体の厚み寸法の変化にも対応しながら、ダクト部材と区画体との接続箇所の止水性を得るための受け口部を備えた貫通部付きの区画体を形成することができる。
【００２２】
本発明の第６特徴構成は、前記コンクリートを打設するのに先立ち、前記第１埋込部材と前記第２埋込部材の一方又は両方の外周面にテープ材を巻着して止水用の凸部を形成する点にある。
【００２３】
上記構成によれば、例えば、毛細管現象等によって両埋込部材の外周面とコンクリートとの僅かな隙間を通じて液体が通過するのを抑止し得る止水用の凸部を備えた貫通部付きの区画体を容易に形成することができる。
【００２４】
本発明の第７特徴構成は、前記コンクリートを打設するのに先立ち、前記挿入長さ範囲の複数の挿入長さ位置の各々で又は挿入長さ範囲の任意の挿入長さ位置で前記両埋込部材を固定可能な固定手段で区画体の厚み寸法に対応する設定挿入長さ位置で前記両埋込部材を固定するとともに、
前記両埋込部材の外周面のうち、前記固定手段による固定領域よりも区画体の外面のうちの屋外側となる外面の側に位置する部位に前記テープ材を巻着する点にある。
【００２５】
上記構成によれば、前記両埋込部材の外周面のうち、前記固定手段による固定領域よりも区画体の外面のうちの屋外側となる外面の側に位置する部位に前記テープ材を巻着するから、隙間等が生じることの多い前記固定手段の固定領域の手前側に液体の侵入を抑止
し得る止水用の凸部を備えた貫通部付きの区画体を容易に形成することができる。
【図面の簡単な説明】
【００２６】
【図１】貫通部付き区画体の使用状態を示す説明斜視図
【図２】貫通部付き区画体の使用状態を示す縦断面図
【図３】貫通スリーブの分解図
【図４】貫通スリーブの分解図
【図５】（ａ）施工方法を示す斜視図、（ｂ）施工方法を示す断面図
【図６】（ａ）施工方法を示す斜視図、（ｂ）施工方法を示す断面図
【図７】（ａ）施工方法を示す斜視図、（ｂ）施工方法を示す断面図
【図８】従来の貫通部付き区画体を示す縦断面図
【発明を実施するための形態】
【００２７】
［第１実施形態］
図１、図２は、コンクリート製の壁体Ｗ（区画体の一例）の配管挿通部を示し、１は壁体Ｗに埋め込まれた板金製等の貫通スリーブ、２は多数の配管Ｐが内装された金属製のダクト部材、３はダクト部材２と壁体Ｗとの接続箇所を覆う状態で壁体Ｗに固定されたウォールカバーである。
【００２８】
前記ウォールカバー３は、断面Ｌ字状で且つ正面視コの字状に形成された上下一対の分割カバー部材３Ａ、３Ｂから構成されている。当該ウォールカバー３は、複数（本例では６本）の取付けビス４（取付け手段の一例）で壁体Ｗに対して取付けられている。更に、ウォールカバー３の外周縁部には、雨水等の侵入を防止するためのシール材５が設けられている。
【００２９】
前記貫通スリーブ１は、図１〜図７に示すように、壁体Ｗの外面を構成するための一対の型枠６Ａ、６Ｂのうちの一方側（本例では、室内側）の型枠６Ａの内面６ａに対する取付け部７を一端側の端縁部に備えた横長四角筒状（筒状の一例）の第１埋込部材８と、該第１埋込部材８の他端側から第１埋込部材８に対する所定の挿入長さ範囲Ｌ１で一端側から外挿可能（外挿可能又は内挿可能の一例）に構成され且つ他方側（本例では、屋外側）の型枠６Ｂの内面６ｂに対する当付け部９を他端側の端縁部に備えた横長四角筒状の第２埋込部材１０と、前記ダクト部材２の先端部２ａが外挿可能（内挿可能又は外挿可能の一例）な横長四角筒状の受け口部１１を備えた受け部材１２とから構成されている。
【００３０】
そして、第２埋込部材１０の内面側（両埋込部材の少なくとも一方の内面側の一例）には、受け部材１２の受け口部１１の先端部１１Ａが壁体Ｗの外面よりも外方に配置される状態で受け部材１２を取付け可能な取付け部１３が備えられている。また、当該貫通スリーブには、前記挿入長さ範囲Ｌ１の任意の挿入長さ位置で両埋込部材８、１０を固定可能な固定手段１４が備えられている。
【００３１】
前記第１埋込部材８は、上側部材８Ａと下側部材８Ｂとを溶接等の固着手段で固着して構成されている。当該第１埋込部材の左右の両側壁部８ａ、８ａ、上壁部８ｂ、下壁部８ｃの各々の一端側の端縁部には、屋内側型枠６Ａの内面６ａに取付けるための釘１５（取付け手段の一例）用の挿通孔８ｄを備えた取付け片８ｅ（前記取付け部７の一例）が外方に向かって突出する状態に折り曲げ形成されている。当該取付け片８ｅの各々は、それが形成された各壁部８ａ、８ｂ、８ｃの幅寸法に略相当する幅寸法に構成されている。
【００３２】
また、第１埋込部材８の上壁部８ｂと下壁部８ｃの左右幅方向で離れた二箇所（１又は複数箇所の一例）には、筒軸心方向（つまり、壁体Ｗの厚み方向）に沿う長孔状の取付けボルト用の挿通孔８ｆ（固定部材用挿通部の一例）が形成されている。当該挿通孔８ｆの筒軸心方向における長さ寸法は、前記の所定挿入長さ範囲Ｌ１に対応する長さ寸法に構成されている。
【００３３】
前記第２埋込部材１０は、上側部材８Ａと下側部材１０Ｂとを溶接等の固着手段で固着し、第１埋込部材８を内挿可能なように第１埋込部材８の内形寸法よりも僅かに大きな外形寸法に構成されている。
【００３４】
当該第２埋込部材１０の上壁部１０ｂと下壁部１０ｃの各々の左右幅方向で離れた二箇所（１又は複数箇所の一例）には、第２埋込部材１０と第１埋込部材８との挿入接続状態で第１埋込部材８の長孔状の挿通孔８ｆの一部と重なる挿通孔１０ｄが形成されている。
【００３５】
つまり、第１埋込部材８と第２埋込部材１０とを所望の挿入長さ位置にした状態で第１埋込部材８の挿通孔８ｆと第２埋込部材１０の挿通孔１０ｄとに取付けボルト１６を挿通させて、その挿通状態の取付けボルト１６に取付けナット１７を羅着することにより両埋込部材８、１０を固定可能に構成されている。
【００３６】
なお、長孔状の挿通孔８ｆ、挿通孔１０ｄ、取付けボルト１６、取付けナット１７は、前記固定手段１４を構成する。また、取付けボルト１６、取付けナット１７は固定部材に相当し、当該第２埋込部材１０の他端側の端縁部（つまり、屋外側の端縁部）は前記当付け部９に相当する。
【００３７】
２０は、第２埋込部材１０の外周面に止水用の凸部を形成するために適宜に貼着されるブチルゴム製のテープ材である。
【００３８】
前記取付け部１３は、第２埋込部材１０の左右の両側壁部１０ａ、１０ａの上下中央箇所、及び、上下両壁部１０ｂ、１０ｃの左右幅方向で離れた二箇所（１又は複数箇所の一例）において、シール材２１の充填深さに対応又は略対応した長さ寸法分Ｌ２だけ他端側の端縁部から後退した位置に突出形成された取付け片部１０ｅから構成されている。
【００３９】
当該取付け片部１０ｅの中央位置には、前記受け部材１２を取付けるための取付けボルト１８用の挿通孔１０ｆが貫通形成されているとともに、取付け片部１０ｅの裏面側には、前記挿通孔１０ｆを挿通した取付けボルト１８と羅合する取付けナット１９が溶接等の固着手段により固着されている。
【００４０】
なお、前記取付け片部１０ｅは、第２埋込部材１０の内面に溶接等の固着手段で固着するための被固着片部１０ｇを備えた断面Ｌ字状の部材から構成されている。
【００４１】
前記受け部材１２は、筒状の受け口部１１を構成する上側部材１２Ａ、下側部材１２Ｂと、前記取付け部１３に対する被取付け部２２を構成する環状の一端側部材１２Ｃとを溶接等の固着手段で固着して構成されている。
【００４２】
前記被取付け部２２は、前記受け口部１１の一端側の端縁部から外方に突出する環状の被取付け片部１２ａから構成されている。当該被取付け片部１２ａの外形寸法は、第２埋込部材１０の内部に挿入可能なように第２埋込部材１０の内形寸法よりも僅かに小に構成されている。
【００４３】
当該被取付け片部１２ａには、前記第２埋込部材１０の取付け片部１３に対して取付けボルト１８で取付けるための複数（本例では６つ）の挿通孔１２ｂが貫通形成されている。
【００４４】
つまり、当該貫通スリーブ１は、前記受け部材１２を第２埋込部材１０の他端側の開口部から第２埋込部材１０の内部に挿入し、受け部材１２の被取付け片部１２ａを第２埋込部材１０の取付け片部１０ｅに当て付け、その状態で取付けボルト１８を被取付け片部１２ａの挿通孔１２ｂ及び取付け片部１０ｅの挿通孔１０ｆに表側から挿通させて取付け片部１０ｅの取り付けナットと螺着することにより、受け部材１２を第２埋込部材１０に取付け可能に構成されている。
【００４５】
また、当該貫通スリーブ１は、受け部材１２の被取付け片部１２ａと第２埋込部材１０の取付け片部１３と取付けボルト１８で取付けた状態で、環状の被取付け片部１２ａを底部とし、第２埋込部材１０の内周面と受け口部１１の外周面を両側壁部とするシール材充填用の溝部２３が形成されるように構成されている。
【００４６】
なお、前記受け口部１１の上壁部１１ｂと左右の両側壁部１１ａ、１１ａにおける他端縁（先端縁）には、受け口部１１の外周面に到達した液体が受け口部１１の他端縁を超えてダクト側に移動するのを阻止する凸条１１ｄ（凸部の一例）がヘミング加工等により一体形成されている。
【００４７】
次に、前述の如く構成された貫通スリーブ１を用いて貫通部付きの区画体Ｗを形成する施工方法について説明する。
【００４８】
先ず、前記第１埋込部材８の取付け部１３を屋内側型枠６Ａの内面６ａに釘１５で取り付け、且つ、第２埋込部材１０の当て付け部９を屋外側型枠６Ｂの内面６ｂに当て付けて、区画体Ｗの厚み寸法に対応した挿入長さ位置となる相対配置で前記両埋込部材８、１０を型枠に配設する（図５を参照）。
【００４９】
前記両埋込部材８、１０は、第２埋込部材１０の一端側を第１埋込部材８の他端側に外挿させる状態で第２埋込部材１０の一端側を第１埋込部材８の他端側に前記挿入長さ分だけ差し込み、その状態で取付けボルト１６と取付けナット１７とを螺着することで固定する。また、第２埋込部材１０の両端縁部、及び、両埋込部材８、１０の固定領域（具体的には、長孔状の挿通孔８ｆや取付けボルト１６を覆うように止水テープ２４を貼着する。
【００５０】
また、第２埋込部材１０の外周面に前記テープ２０を貼着して止水用の凸部を形成する。なお、前記テープ２０の貼着は、第２埋込部材１０の外周面に予め貼着する方法、或いは、第２埋込部材１０を型枠に配設した後に貼略する方法の何れを採用してもよい。
【００５１】
次に、両型枠６Ａ、６Ｂの内面６ａ、６ｂと両埋込部材８、１０の外周面とで形成される空間内にコンクリートを打設し、該コンクリートが硬化するのを待って両型枠６Ａ、６Ｂを取り外す（図６を参照）。
【００５２】
そして、取付けボルト１８でもって第２埋込部材１０の取付け片部１０ｅに受け部材１２の被取付け片部１２ａを取付けるとともに、その被取付け片部１２ａを底部とする溝部２３内にバックアップ材２５を配設したのちにシール材２１を充填し、貫通部付きの区画体Ｗを形成する（図７を参照）。
【００５３】
その後、ダクト部材２の接続やウォールカバー３の取付け等の後作業を行って区画体の配管挿通部が完成する（図２を参照）。
【００５４】
［その他の実施形態］
（１）前述の第１実施形態では、前記第２埋込部材１０が、第１埋込部材８に外挿可能に構成されている場合を例に示したが、第１埋込部材８に内挿可能に構成されていてもよい。
【００５５】
（２）前述の第１実施形態では、前記受け部材１２の受け口部１１が、前記ダクト部材２の先端部が外挿可能に構成されている場合を例に示したが、ダクト部材２の先端部が内挿可能に構成されていてもよい。
【００５６】
（３）前述の第１実施形態では、受け部材１２を取付け可能な取付け部１３が第２埋込部材１０のみに備えられている場合を例に示したが、第１埋込部材８のみ、或いは、第１埋込部材と第２埋込部材１０の両方に備えられていてもよい。
【００５７】
（４）前述の第１実施形態では、前記固定手段１４が、前記挿入長さ範囲Ｌ１の任意の挿入長さ位置で前記両埋込部材８、１０を固定可能に構成されている場合を例に示したが、挿入長さ範囲Ｌ１の複数の挿入長さ位置の各々で固定可能に構成されていてもよい。その場合、例えば、筒軸芯方向に沿う長孔状の挿通孔８ｆを設けるのに代え、筒軸芯方向に沿って分散する複数の挿通孔を設ければよい。
【００５８】
（５）前述の第１実施形態では、前記固定手段を構成する固定部材用挿通部として、筒軸心方向に沿う長孔状の挿通孔８ｆを例に示したが、筒軸心方向に沿うスリット状の挿通孔等であってもよい。
【００５９】
（６）前述の第１実施形態では、固定部材用挿通部に対する挿通状態で固定部材用挿通部の周縁部を両埋込部材の他方側に押圧して両埋込部材８、１０を固定可能な固定部材が、両埋込部材８、１０とは別体の取付けボルト１６と取付けナット１７から構成されている場合を例に示したが、例えば、取付けボルト又は取付けナットの一方が、両埋込部材８、１０の一方に固着されている等であってもよい。
【００６０】
（７）前述の第１実施形態では、前記両埋込部材８、１０を固定可能な固定手段１４が備えられている場合を例に示したが、固定手段１４が備えられていなくともよい。
【００６１】
（８）前述の第１実施形態では、被取付け片部１２ａが環状に連なる環状片部から構成され、取付け片部１０ｅが環状に連ならない小片部から構成されている場合を例に示したが、これとは逆であってもよく、或いは、被取付け片部１２ａと取付け片部１０ｅの両方が、環状に連なる環状片部、又は、環状に連ならない小片部から構成されていてもよい。
【００６２】
（９）前述の第１実施形態では、前記第２埋込部材１０のみに止水用の凸部を形成する場合を例に示したが、前記第１埋込部材８のみ、或いは、両埋込部材８、１０に止水用の凸部を形成してもよい。
【００６３】
（１０）止水用の凸部を形成する具体的構成は、前述の実施形態で示したテープ材を巻着するのに限らず、板金製や木製等の別部材を配設する等であってもよい。
【００６４】
（１１）前述の第１実施形態では、第１埋込部材８、第２埋込部材１０、受け部材１２の各々が分離不能に構成されている場合を例に示したが、複数の部材に分離可能に構成されていてもよい。
【００６５】
（１２）前述の第１実施形態では、取付け部７が第１埋込部材８のみに備えられている場合を例に示したが、第２埋込部材１０にも備えられていてもよい。
【符号の説明】
【００６６】
Ｗ            区画体（壁）
Ｌ１          挿入長さ範囲
２            ダクト部材
６Ａ、６Ｂ    型枠
７            取付け部
８            第１埋込部材
８ｆ          固定部材用挿通部
９            当付け部
１０          第２埋込部材
１０ｅ        取付け片部
１１          受け口部
１２          受け部材
１２ａ        被取付け片部
１３          取付け部
１４          固定手段
１６、１７    固定部材（取付けボルト、取付けナット）
２０          テープ材
２３          溝部
【図１】
0005505832.tif 000002
【図２】
0005505832.tif 000003
【図３】
0005505832.tif 000004
【図４】
0005505832.tif 000005
【図５】
0005505832.tif 000006
【図６】
0005505832.tif 000007
【図７】
0005505832.tif 000008
【図８】
0005505832.tif 000009